(57)【要約】【課題】洗濯などによる垂れ下がりなどの型崩れが生ぜず、作業上の安全性が向上する作業帽及び該ツバの芯材を提供する。【解決手段】ツバ部２を有する作業帽１において、ツバ部２には芯材３を有しており、芯材３は可撓性を有するプラスチック板により形成され、芯材３にはツバ部２の前後方向に連続する複数の肉厚部３ａが幅方向に間隔をおいて形成されている。【選択図】図２
2017008422.tif 000002
【特許請求の範囲】
【請求項１】
ツバ部を有する作業帽において、
前記ツバ部には芯材を有しており、芯材は可撓性を有するプラスチック板により形成されていることを特徴とする作業帽。
【請求項２】
ツバ部を有する作業帽において、
前記ツバ部には芯材を有しており、芯材は可撓性を有するプラスチック板により形成され、芯材にはツバ部の前後方向に連続する複数の肉厚部が幅方向に間隔を置いて形成されていることを特徴とする作業帽。
【請求項３】
前記芯材には、ツバ部の前後方向に連続する複数の前記肉厚部と該複数の肉厚部の間の肉薄部が形成され、ツバ部は、左右方向の折れ曲がりは容易とされている一方、前後方向の折れ曲がりは左右方向の折れ曲がりよりも困難とされていることを特徴とする請求項２に記載の作業帽。
【請求項４】
前記芯材は、全体として数mm以下の肉厚であり、数mm以下の前記肉厚部と前記肉薄部が幅方向にゆるやかな凹凸形状に形成されていることを特徴とする請求項３に記載の作業帽。
【請求項５】
前記肉厚部は、芯材の表面又は裏面又は表裏両面に形成される突条であって、該突条が複数、間隔を置いて前後方向に連続して形成されていることを特徴とする請求項２に記載の作業帽。
【請求項６】
前記作業帽のキャップ状作業帽本体の下縁外周部には、フード又は作業衣服が形成されていることを特徴とする請求項１乃至５のいずれか１項に記載の作業帽。
【請求項７】
請求項１乃至６の何れか１項記載の作業帽に用いる作業帽用ツバ部の芯材において、
前記芯材は、ツバ部の外形に沿う可撓性プラスチック板により形成され、前後方向に連続して複数の肉厚部が、幅方向に間隔を置いて形成されていることを特徴とする作業帽用ツバの芯材。
【発明の詳細な説明】
【技術分野】
【０００１】
本発明は、例えば、食品や精密機器等の調理又は製造現場等で作業者が装着して用いる作業帽及び作業帽用ツバの芯材に関する。本発明に係る作業帽は、キャップ状の作業帽の他、フード或いは作業着付きの作業帽として用いられる。
【背景技術】
【０００２】
前記の作業帽の額部分には庇状にツバ部を有しており、該ツバ部は、装着時の手掛け用の他、ツバ部を付けることにより、眼前の機器などに頭をぶつけないための安全上の機能もある。
【０００３】
ツバ部を有する作業帽は、下記特許文献１又は２に示されている。
特許文献１に示される作業帽は、頭頂部と顔両側部及び顔後部を覆う作業帽本体としてのキャップの下縁外周に肩部の周囲を覆うフードが設けられた頭巾形であり、その前面上縁部には庇状にツバ部が突出されて設けられている。
特許文献２に示される作業帽は、作業帽本体の下縁外周にフードが設けられた頭巾部分の下縁部に作業衣服が連続して設けられ、作業帽本体の前面上縁部には庇状にツバ部が突出されて設けられている。
従来の上記ツバ部は、一般に、ツバ部の内部に布製のツバ芯が設けられた厚手布製である。
【先行技術文献】
【特許文献】
【０００４】
【特許文献１】実用新案登録第３０３７７２９号公報
【特許文献２】特開２０００−１６０４１２号公報
【発明の概要】
【発明が解決しようとする課題】
【０００５】
特許文献１又は２に示されるような作業帽は、頻繁に洗濯し、用途によっては、作業者が一回使用する毎に洗濯する必要がある。
このため、ツバ部は、経年劣化による型崩れが生じ易い。
この経年劣化による型崩れにより、ツバ部が顔の形状なりに曲がることと、下に垂れ下がって視野が狭くなるという課題がある。
さらに、ツバ部の型崩れにより、作業者が作業場において眼前の機械などに頭をぶつけ易いという安全上の課題も報告されている。
【０００６】
本発明は、上記のような課題を解決するものであり、洗濯などによる垂れ下がりなどの型崩れが生じないツバ部を有する作業帽及び該ツバの芯材を提供することを目的としている。
さらに、本発明は、作業帽のツバ部が型崩れににより垂れ下がって作業者の視野が狭くなったりすることがなく、作業上の安全性が向上する作業帽を提供することを目的としている。
【課題を解決するための手段】
【０００７】
次に、上記の課題を解決するための手段を、実施の形態に対応する図面を参照して説明する。
【０００８】
請求項１の発明は、ツバ部２を有する作業帽１において、前記ツバ部２には芯材３を有しており、芯材３は可撓性を有するプラスチック板により形成されていることを特徴としている。
【０００９】
上記の作業帽１は、ツバ部２に可撓性を有するプラスチック板により形成された芯材３を有するので、洗濯などによってもツバ部２に型崩れが生ぜず、経年使用によってもツバ部２は庇状に突出しており、ツバ部２が垂れ下がって視野を狭めたりすることがない。
また、眼前の機械などには、顔面以前にツバ部２の突出先端縁が当たることから、作業の安全性が確保される。
【００１０】
請求項２の発明は、ツバ部２を有する作業帽１において、前記ツバ部２には芯材３を有しており、芯材３は可撓性を有するプラスチック板により形成され、芯材３にはツバ部２の前後方向に連続する複数の肉厚部３ａが幅方向に間隔をおいて形成されていることを特徴としている。
【００１１】
請求項３の発明は、前記請求項２の構成において、前記芯材３には、ツバ部２の前後方向に連続する複数の肉厚部３ａと該複数の肉厚部の間の肉薄部３ｂが形成され、ツバ部２は、左右方向の折れ曲がりは容易とされている一方、前後方向の折れ曲がりは左右方向の折れ曲がりよりも困難とされていることを特徴とする。
【００１２】
請求項４の発明は、前記請求項２の構成において、前記芯材３は、全体として数mm以下の肉厚であり、数mm以下の前記肉厚部３ａと前記肉薄部３ｂが幅方向にゆるやかな凹凸形状に形成されていることを特徴としている。
芯材３を構成するプラスチック板の肉厚は、略０．５mm〜略３mmであり、肉厚部３ａの肉厚は、プレスなどにより、プラスチック板の肉厚と同等或いはやや厚く形成させることができる。
【００１３】
上記の作業帽１は、肉厚部３ａの存在により、前後方向の折れ曲がりがなく補強されており、作業者が機械などに当たっても、顔面以前にツバ部２の前端縁が当たることから、作業の安全性が一層確保されている。
また、幅方向には折り曲げ易いことから、洗濯機による大量の洗濯時において、ツバ部２の型崩れ損傷が最小限度ととされる。さらに、作業帽１の折り畳み収納或いは整理に支障が生じない。
【００１４】
前記肉厚部３ａ及び肉薄部３ｂは、プレスなどにより、芯材３の表裏両面に対称形状に形成することが望ましい。肉厚部３ａ及び肉薄部３ｂを、芯材３の表面又は裏面の片面にのみ波形に形成してもさしつかえない。
【００１５】
請求項５の発明は、前記肉厚部１３ａは、芯材１３の表面又は裏面又は表裏両面に形成される突条であって、該突条が複数、間隔を置いて前後方向に連続して形成されていることを特徴としている。
【００１６】
請求項６の発明では、前記作業帽１の作業帽本体を構成するキャップ４の下縁外周部には、フード５又は作業着６が形成されている。
【００１７】
請求項７に係る本発明の芯材３（１３）は、ツバ部２の外形に沿う可撓性プラスチック板により形成され、前後方向に連続して複数の肉厚部３ａ（１３ａ）が、幅方向に間隔を置いて形成されていることを特徴としている。
【００１８】
上記芯材３（１３）を、上記作業帽１のツバ部を構成する布製外皮内に挿入するようにして或いは重ね合わせて逢着することにより、本発明に係るツバ部２を有する作業帽１を効率良く製作でき、同様の効果を得ることができる。
【発明の効果】
【００１９】
本発明に係る作業帽によれば、ツバ部に可撓性を有するプラスチック板により形成された芯材を有するので、洗濯などによってもツバ部に型崩れが生ぜず、経年使用によってもツバ部は庇状に突出しており、ツバ部が垂れ下がって視野を狭めたりすることがない。
また、眼前の機械などには、顔面以前にツバ部の先端が当たることから、作業上の安全性が確保されるという効果がある。
【００２０】
請求項２乃至５の発明によれば、ツバ部の芯材に前後方向に複数列形成された肉厚部の存在により、ツバ部に前後方向の折れ曲がりがなく補強されており、作業者が機械などに当たっても、顔面以前に常にツバ部の先端が当たることから、作業上の安全性が一層確保される。
また、複数の肉厚部の間が肉薄部となって幅方向には折り曲げ易いことから、作業帽の折り畳み収納或いは整理に支障がない。また、洗濯時におけるツバ部の損傷を最小限度とすることができる。
【００２１】
請求項７の発明では、その芯材を、作業帽のツバ部を構成する布製外皮内に挿入又は重合するようにしてツバ部を製作することにより、本発明の作業帽を容易に製作でき、同様の効果が得られる。
【図面の簡単な説明】
【００２２】
【図１】本発明に係る作業帽の側面図である。
【図２】（Ａ），（Ｂ）は、本発明の要部である芯材の平面図と拡大正面図である。
【図３】本発明に係る作業帽の使用状態を示す斜視図である。
【図４】（Ａ），（Ｂ）は、本発明の要部である他の芯材の平面図と正面図である。
【発明を実施するための形態】
【００２３】
（実施形態１）
以下、本発明の実施形態を図面を参照して具体的に説明する。
図１乃至図３は、本発明の実施形態１を示す。
実施形態１の作業帽１は、頭頂部と顔両側部及び顔後部を覆う作業帽本体としてのキャップ４の下縁外周に肩部の周囲を覆うフード５が設けられた頭巾形であり、その前面上縁部には庇状にツバ部２が突出されて設けられている。
【００２４】
ツバ部２には、布製外皮の内部又は布製外皮に重ねるように、ツバ部２の外形に沿った形状の芯材３を有しており、芯材３は可撓性を有するプラスチック板により形成されている。
ツバ部２及び芯材３は、帽子の庇状であり、略半円形状、略三日月形状若しくは略湾曲横長形状とされている。
【００２５】
上記芯材３の表裏には、ツバ部２の前後方向に連続する複数の肉厚部３ａと該複数の肉厚部の間の肉薄部３ｂが放射方向に形成されている。ツバ部２は、肉薄部３ｂによる左右方向の折れ曲がりは容易とされている一方、前後方向の折れ曲がりは、肉厚部３ａの存在により左右方向の折れ曲がりよりも困難とされている。
【００２６】
上記作業帽本体としてのキャップ４の両耳部には、マスクの紐を掛けるための布製掛け環よりなる掛け部７が設けられている。フード５の合わせ部は、ホックによる合わせ留め具８が設けられている。キャップ４前面開口の両側縁には、伸縮性の布片９が設けられ、キャップ４の両側縁が頬に密着するようになっている。フード５の下縁部には、作業着６を連続して設けるようにしても良い。
【００２７】
上記芯材３を構成するプラスッチック板は、全体として数mm以下、略０．５mm〜略３mmであり、肉厚部３ａと肉薄部３ｂが、プラスッチック板の表裏対象面に、プレスなどにより、幅方向にゆるやかな凹凸形状に形成されている。肉厚部３ａの厚さｅ１は、肉薄部３ｂの厚さｅ２の略２倍とすることができる。
【００２８】
上記の作業帽１は、肉厚部３ａの存在により、前後方向の折れ曲がりがなく補強されており、作業者が機械などに当たっても、顔面以前にツバ部２の前端縁が当たることから、作業の安全性が一層確保されている。
また、幅方向には折り曲げ易いことから、洗濯機による大量の洗濯時において、ツバ部２の型崩れ損傷が最小限度ととされる。さらに、作業帽１の折り畳み収納或いは整理に支障が生じない。
【００２９】
前記肉厚部３ａ及び肉薄部３ｂは、プレス機械などにより、芯材３の表裏両面に対称形状に形成することが望ましい。肉厚部３ａ及び肉薄部３ｂを、芯材３の表面又は裏面の片面にのみ波形に形成させるようにしてもさしつかえない。
【００３０】
（実施形態２）
以下、本発明の実施形態を図面を参照して具体的に説明する。
図４は、本発明の実施形態２を示す。
実施形態２では、そのツバ部の芯材１３は、実施形態１と同様の可撓性を有するプラスチック板により形成されている。
【００３１】
芯材１３の表裏両面には、互い違いの位置に、複数本（図では表面３条、裏面４条）の突条よりなる肉厚部１３ａが形成されている。
隣り合う肉厚部１３ａの間が肉薄部となり、肉薄部は芯材１３を構成するプラスチック板の素材の厚さとなる。
【００３２】
実施形態２のその他の構成と作用については、上記実施形態１と同様であるので、その詳細な説明は省略する。
【符号の説明】
【００３３】
１…作業帽、２…ツバ部、３…心材、３ａ…肉厚部、３ｂ…肉薄部、４…キャップ、５…フード、６…作業着、７…掛け部、８…留め具、９…布片
１３…芯材、１３ａ…肉厚部
【図１】
2017008422.tif 000003
【図２】
2017008422.tif 000004
【図３】
2017008422.tif 000005
【図４】
2017008422.tif 000006